(57)【要約】【課題】  ピンチバネの位置離脱により起こり得るピンチローラのキャＰス端に対する圧着エラーが発生しない磁気記録再生装置のピンチローラ組立体を開示する。【解決手段】  磁気記録再生装置のピンチローラ組立体は、デッキベースに設けられたキャプスタン軸に選択的密着されるピンチローラと、前記ピンチローラが先端へ回転自在に保持され、前記デッキベースへ第１および第２位置に旋回可能に設けられたピンチアームと、前記ピンチアームの他端に設けられ、ピンチアームの旋回点をなすピンチ軸と、第１位置に旋回された前記ピンチアームをピンチローラがキャプスタン軸に密着される方向に向って弾力保持するよう前記ピンチ軸に介在されたピンチバネと、前記ピンチ軸に介在されたピンチバネの位置離脱を抑えるため、前記ピンチ軸に一体形成された離脱防止条とを含む。【選択図】      図３
2006040521.tif 000002
【特許請求の範囲】
【請求項１】
デッキベースに設けられたキャプスタン軸に選択的密着されるピンチローラと、
前記ピンチローラが先端へ回転自在に保持され、前記デッキベースへ第１および第２位置に旋回可能に設けられたピンチアームと、
前記ピンチアームの他端に設けられ、ピンチアームの旋回点をなすピンチ軸と、
第１位置に旋回された前記ピンチアームをピンチローラがキャプスタン軸に密着される方向に向って弾力保持するよう前記ピンチ軸に介在されたピンチバネと、
前記ピンチ軸に介在されたピンチバネの位置離脱を抑えるため、前記ピンチ軸に一体形成された離脱防止条とを含むことを特徴とする磁気記録再生装置のピンチローラ組立体。
【請求項２】
１つの離脱防止条がピンチバネの溝部分に位置することを特徴とする請求項１に記載の磁気記録再生装置のピンチローラ組立体。
【請求項３】
２つの離脱防止条がピンチバネの溝部分にそれぞれ位置することを特徴とする請求項１に記載の記録再生装置のピンチローラ組立体。
【請求項４】
１つの離脱防止条がピンチバネの下端部を保持するように配置されたことを特徴とする請求項１に記載の記録再生装置のピンチローラ組立体。
【請求項５】
前記遺脱防止条はリング状であることを特徴とする請求項１〜４のいずれか一項に記載の記録再生装置のピンチローラ組立体。
【発明の詳細な説明】
【技術分野】
【０００１】
本発明は、磁気テープを記録媒体として用いる、例えばＶＣＲ（ビデオカセットテープレコーダ）やＤＶＣ（デジタルバーサタイルカムコーダ）などのような磁気記録再生装置に関し、詳細にはカセットテープからテープを引出し走行させるテープ走行機構を構成するピンチローラ組立体に関する。
【背景技術】
【０００２】
周知のとおりに、磁気記録再生装置のテープ走行機構は、回転自在な1対のリールテーブル、該リールテーブルの回転駆動源であるキャプスタンモータ、１対のポルベース組立体、キャプスタン軸およびテープを前記キャプスタン軸に所定圧力加えて加圧密着させるピンチローラ組立体などを備える。
【０００３】
前記ピンチローラ組立体はテープのローディング時にテープローディング機構によりキャプスタン軸へ移動しながらテープをキャプスタン軸の所定圧力で加圧密着させることによって円滑なテープの走行を図る。
【０００４】
係る一般の磁気記録再生装置のピンチローラ組立体は、図１および図２に示したように、ピンチローラ１０、ピンチローラ１０が先端に移転自在保持されたピンチアーム２０、ピンチアーム２０の他端部に結合されたピンチ軸３０およびピンチ軸３０に介在されたピンチバネ４０を備える。
【０００５】
ピンチアーム２０は、デッキベース５０にピンチ軸３０が回転保持されることによって第１と第２位置との間で旋回運動できるように設けられる。なお、前記第１位置とはピンチローラ１０がキャプスタン軸６０に近接されるよう移動された位置であり、第２位置とはピンチローラ１０がキャプスタン軸６０から離れた位置、つまり初期位置である。
【０００６】
前述のようにピンチアーム２０の第１位置および第２位置への旋回運動はテープローディング機構（図示されず）により行われる。そして、ピンチアーム２０が第１位置へ移動された状態でピンチローラ１０がキャプスタン軸６０に向って加圧密着されることは、ピンチ軸３０に介在されたピンチバネ４０の弾力によりなされる。
【０００７】
ピンチバネ４０はピンチアーム２０に保持された固定端４１および自由端４２を有する。そして、自由端４２は、デッキベース５０にて左右側方向移動自在に設けられたスライダー７０とピンチアーム２０が前記第１位置に旋回された状態で干渉されるよう配置される。ここで、スライダー７０は図示されていないテープローディング機構により図示された矢印方向、即ちテープローディング時には図面にて左側に、そしてテープアンローディング時には図面にて右側にスライド移動する。
【０００８】
前述のように、スライド移動されるスライダー７０によってテープローディング時に第１位置へ移動されたピンチアーム２０のピンチバネ４０の自由端４２がスライダー７０により、図面にて時計周りに弾持されることで、ピンチローラ１０がキャプスタン軸６０に加圧密着される。
【０００９】
しかし、スライダー７０によりピンチバネ４０の自由端４２に加えられる力（Ｆ）とピンチバネ４０の固定端４１保持部の高さ（Ｈ）との違いによりピンチバネ４０に不要なトーションが作用してしまい、よってピンチバネ４０が自分の位置から離脱してしまう恐れがある。
【００１０】
ピンチバネ４０の位置が離脱されれば、ピンチバネ４０の自由端４２の高さ変化が発生し、スライダー７０と干渉されないことから、ピンチローラ１０がキャプスタン軸６０に密着されない不都合がある。 
【発明の開示】
【発明が解決しようとする課題】
【００１１】
本発明は前述した問題点を解決するために案出されたもので、本発明の目的は、ピンチバネの位置離脱を抑えることによって、ピンチバネの位置離脱により起こり得るピンチローラのキャプスタン軸に対する圧着エラーを防止できる磁気記録再生装置のピンチローラ組立体を提供することにある。
【課題を解決するための手段】
【００１２】
本発明に係る磁気記録再生装置のピンチローラ組立体は、デッキベースに設けられたキャプスタン軸に選択的密着されるピンチローラと、前記ピンチローラが先端へ回転自在に保持され、前記デッキベースへ第１および第２位置に旋回可能に設けられたピンチアームと、前記ピンチアームの他端に設けられ、ピンチアームの旋回点をなすピンチ軸と、第１位置に旋回された前記ピンチアームをピンチローラがキャプスタン軸に密着される方向に向って弾力保持するよう前記ピンチ軸に介在されたピンチバネと、前記ピンチ軸に介在されたピンチバネの位置離脱を抑えるため、前記ピンチ軸に一体形成された離脱防止条とを含む。
【００１３】
本発明の好ましい実施形態によれば、磁気記録再生装置のピンチローラ組立体は、１つの離脱防止条がピンチバネの溝部分に位置することができる。
【００１４】
さらに、２つの離脱防止条がピンチバネの溝部分にそれぞれ位置することができ、また、１つの離脱防止条がピンチバネの下端部を保持するように配置されたこともできる。
【００１５】
前記遺脱防止条はリング状であることが好ましい。
【発明の効果】
【００１６】
本発明によると、ピンチバネがピンチ軸に設けられた離脱防止条により保持されているため、ピンチバネが自分の位置から離脱されることを抑える。
【００１７】
従って、ピンチバネの位置離脱により生じるピンチローラのキャプスタン軸に対する圧着エラーを防止でき、テープ走行の安定性を確保できると同時に製品の信頼度も向上させ得る。
【発明を実施するための最良の形態】
【００１８】
以下、添付の図面に基づいて本発明の好適な実施形態を詳述する。
【実施例】
【００１９】
図３は本発明の一実施の形態に係る磁気記録再生装置のピンチローラ組立体を示した断面図であり、図４は本発明の要部であるピンチシャフトの拡大端面図である。参考まで本発明の実施の形態を説明するに当って従来とその構成および作用が同一な部分については同一参照符合を付する。
【００２０】
図３および図４に示したように、本発明の一実施の形態に係る磁気記録再生装置のピンチローラ組立体は、ピンチローラ１０、ピンチローラ１０が先端に回転自在に保持されたピンチアーム２０、ピンチアーム２０の他端部に結合されたピンチ軸３０、ピンチ軸３０に介在されたピンチバネ４０、およびピンチバネ４０の位置離脱を防止するためにピンチ軸３０に形成された離脱防止条１００を備える。
【００２１】
ピンチローラ１０は、デッキベース５０（図１参照）に設けられたキャプスタン軸６０（図１参照）に選択的密着される。
【００２２】
ピンチアーム２０は、デッキベース５０にピンチ軸３０が回転保持されることにより第１位置および第２位置の間で旋回運動するよう設けられる。ここで前記第１位置はピンチローラ１０がキャプスタン軸６０に近接されるよう移動された位置を指し、第２位置はピンチローラ１０がキャプスタン軸６０から離れた位置、即ち初期位置を指す。
【００２３】
ピンチアーム２０の第１および第２位置への旋回運動はテープローディング機構（図示されず）によりなされる。そして、ピンチアーム２０が前述した第１位置に移動された状態でピンチローラ１０がキャプスタン軸６０へ加圧密着されることはピンチ軸３０に介在されたピンチバネ４０の弾力により行われる。
【００２４】
ピンチバネ４０は、ピンチアーム２０に保持された固定端４１および自由端４２を持つ。そして、自由端４２は、デッキベース５０にて左右側方向移動自在に設けられたスライダー７０（図１参照）とピンチアーム２０が前記第１位置に旋回された状態で干渉されるよう配置される。ここで、スライダー７０は図示されていないテープローディング機構により図示された矢印方向、即ちテープローディング時には図面にて左側に、テープアンローディング時には図面にて右側にスライド移動する。
【００２５】
前述のように、スライド移動されるスライダー７０によってテープローディング時に第１位置へ移動されたピンチアーム２０のピンチバネ４０の自由端４２がスライダー７０により、図面にて時計周りに弾持されることで、ピンチローラ１０がキャプスタン軸６０に加圧密着される。
【００２６】
一方、本発明の特性に従って加えられた離脱防止条１００はピンチ軸３０に設けられたピンチバネ４０が位置離脱されないようにピンチバネ４０を保持する。
【００２７】
このような離脱防止条１００はピンチ軸３０の外周面にピンチバネ４０の溝部分に挿入されるように一体突設され、リング状の構造を有することが好ましが、これに限定されない。また、離脱防止条１００はその縦端面の形状がピンチバネ４０の溝部分と対応する三角形形であることが好ましい。
【００２８】
前述のような本発明に係るピンチローラ組立体は、第１位置に旋回された状態でピンチバネ４０の自由端４２およびスライダー７０が接しながらピンチバネ４０を弾持するとき、スライダー７０によりピンチバネ４０の自由単４２に加えられる力（Ｆ）とピンチバネ４０の固定端４１支持部の高さ（Ｈ）の違いにより、ピンチバネ４０への不要なトーションが作用してもピンチ軸３０の離脱防止条１００により保持されているため、ピンチバネ４０の位置は離脱しない。
【００２９】
従って、ピンチバネ４０の位置離脱にともなって起こり得るピンチローラ１０のキャプスタン軸６０に対する圧着エラーを抑えることができる。
【００３０】
図５は本発明に係るほかの実施形態に係るピンチローラ組立体の要部を抜粋して示した断面図である。動図に示したように、本実施の形態は２つの離脱防止条１００、１１０がピンチ軸３０の外周面に一定間隔をおいて一体形成されていること以外には前述した本発明の一実施の形態の構成および作用と類似している。２つの離脱防止条１００、１１０は、ピンチバネ４０の２つの溝部分にそれぞれ位置することが好ましい。さらに、２つの離脱防止条１００、１１０は並列に並んで形成できるし、螺旋状でも形成できる。
【００３１】
このような本実施の形態は２つの離脱防止条１００、１１０によりピンチバネ４０が保持されるため、より効果的にピンチバネ４０が位置離脱防止される。
図６は本発明の更なる実施の形態に係るピンチローラ組立体の要部を抜粋して示した図である。同図に示したように、本実施の形態は離脱防止条１２０がピンチバネ４０の下端部を保持するよう配置されていることを除けば前述した他の実施形態と類似している。係る本実施の形態の場合にも離脱防止条１２０がピンチバネ４０が自分の位置で離脱されないよう保持しているので、ピンチバネ４０の位置離脱により生じる従来のような問題を解消できる。
【００３２】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【産業上の利用可能性】
【００３３】
本発明はＶＣＲやＤＶＣのような磁気記録再生装置のテープ走行の安定性を確保することができる。
【図面の簡単な説明】
【００３４】
【図１】一般の磁気記録再生装置のピンチローラ組立体およびその作用を示した平面図である。
【図２】図１におけるピンチローラ組立体を抜粋して示した拡大端面図である。
【図３】本発明の一実施の形態に係る磁気記録再生装置のピンチローラ組立体を示した端面図である。
【図４】本発明の要部であるピンチシャフトの拡大断面図である。
【図５】本発明の他の実施形態にかかる磁気記録再生装置のピンチローラ組立体を示した要部端面図である。
【図６】本発明の他の実施形態に係る磁気記録再生装置のピンチローラ組立体を示した要部端面図である。
【符号の説明】
【００３５】
１０  ピンチローラ
２０  ピンチアーム
３０  ピンチ軸
４０  ピンチバネ
４１  ピンチバネの固定端
４２  ピンチバネの自由端
５０  デッキベース
６０  キャプスタン軸
７０  スライダー
１００、１１０、１２０  離脱防止条
【図１】
2006040521.tif 000003
【図２】
2006040521.tif 000004
【図３】
2006040521.tif 000005
【図４】
2006040521.tif 000006
【図５】
2006040521.tif 000007
【図６】
2006040521.tif 000008